(57)【要約】【課題】  複数の壁面に出入り口を備えたエレベータの乗りかごにおいて、どの出入り口が開閉するのかを、専用の照明装置を設けることなく、乗りかご乗客に案内する。【解決手段】  乗りかごの天井または側壁もしくはその双方に配置されて乗りかご内を照明する、各独立に点灯、消灯が可能な複数の光源と、前記各独立に点灯、消灯が可能な複数の光源の点灯と消灯を、点灯されたものと消灯されたものの配置のパターンが予め定められた複数のパターンのいずれかになるように制御する照明制御手段と、を設け、前記照明制御手段を、前記複数の壁面に備えられた出入口のいずれが開くかを示す信号に基づいて前記光源の点灯、消灯のパターンを前記複数のパターンのいずれにするかを選定するよう構成する。【選択図】        図１
2005350213.tif 000002
【特許請求の範囲】
【請求項１】
乗りかごの複数の壁面に出入口を備えたエレベータの照明装置であって、乗りかごの天井または側壁もしくはその双方に配置されて乗りかご内を照明する、各独立に点灯、消灯が可能な複数の光源と、前記各独立に点灯、消灯が可能な複数の光源の点灯と消灯を、点灯されたものと消灯されたものの配置のパターンが予め定められた複数のパターンのいずれかになるように制御する照明制御手段と、を有してなり、前記照明制御手段は、前記複数の壁面に備えられた出入口のいずれが開くかを示す信号に基づいて前記光源の点灯、消灯のパターンを前記複数のパターンのいずれにするかを選定するよう構成されているエレベータの照明装置。
【請求項２】
請求項１記載のエレベータの照明装置において、前記複数の光源の点灯されたものと消灯されたものの配置のパターンは、乗りかごが次に停止したときに開く出入口が、前記複数の壁面の出入り口のうちのいずれであるかを表示するパターンを含むものであることを特徴とするエレベータの照明装置。
【請求項３】
請求項１または２に記載のエレベータの照明装置において、前記照明制御手段は、前記複数の光源の点灯されたものと消灯されたものの配置のパターンを、あらかじめ定められた順序に従って時系列的に変化させるように構成されていることを特徴とするエレベータの照明装置。
【請求項４】
請求項１〜３のうちのいずれか１項に記載のエレベータの照明装置において、前記複数の壁面に備えられた出入口のいずれが開くかを示す信号が、停止階を示す信号であることを特徴とするエレベータの照明装置。
【請求項５】
請求項１〜４のうちのいずれか１項に記載のエレベータの照明装置において、前記各独立に点灯、消灯が可能な複数の光源は、ＬＥＤであることを特徴とするエレベータの照明装置。
【請求項６】
請求項１〜５のうちのいずれか１項に記載のエレベータの照明装置において、前記各独立に点灯、消灯が可能な複数の光源は、乗りかごの天井または側壁もしくはその双方にタイル状に配置された光散乱体を通して乗りかご内を照明するものであることを特徴とするエレベータの照明装置。
【発明の詳細な説明】
【技術分野】
【０００１】
本発明は、乗りかごの複数の壁面に出入口のあるエレベータに係り、特にその照明装置に関する。
【背景技術】
【０００２】
従来、エレベータの乗りかごがある階に停止してドアが開くときに、乗客にドアが開くことを知らせ、乗客の指がドアと乗りかごの間に挟みこまれたりする危険を防ぐようにしたものがある。
【０００３】
この種の技術として、特許文献１に、ドアが開くときにドアに専用の照明をあてて乗客にドアが開くことを知らせ、ドアに指などを挟み込まれないように注意させる方法が開示されている。
【０００４】
【特許文献１】特開平７−２５２０６１号公報（００１６〜００２１、図１）
【発明の開示】
【発明が解決しようとする課題】
【０００５】
前記従来技術では、ドア開閉を示すために専用の照明装置を設ける必要があるため、コストが増加する。
【０００６】
また、かご内の照明が暗い場合は問題がないが、かご内の照明が明るい場合や最近増えてきた全面ガラス張りの展望用エレベータにおいては、昼間はかご内が外光により明るく、専用の照明が目立たない恐れがある。
【０００７】
さらに、乗りかごの複数の壁面に出入口のあるエレベータにおいては、どのドアが開くのかを、乗客に知らせる必要があるが、前記従来技術では、ドアから離れた場所にいる人には判りにくい。
【０００８】
本発明の目的は、上述のような専用の照明装置を用いることなく、ドアが開くこと、及びどのドアが開くのかを、乗客に知らせることである。
【課題を解決するための手段】
【０００９】
本発明は、乗りかご内の照明を天井または側壁もしくはその双方に配置された複数の光源を含んで構成し、その一部若しくは全部を各独立に点灯、消灯できるようにし、乗りかごが次に停止したときにどのドアが開くのかを、乗りかごの照明の光源の点灯パターンを変化させて乗客に知らせるものである。
【００１０】
すなわち、上記目的を達成する本発明は、具体的には、乗りかごの複数の壁面に出入口を備えたエレベータの照明装置であって、乗りかごの天井または側壁もしくはその双方に配置されて乗りかご内を照明する、各独立に点灯、消灯が可能な複数の光源と、前記各独立に点灯、消灯が可能な複数の光源の点灯と消灯を、点灯されたものと消灯されたものの配置のパターンが予め定められた複数のパターンのいずれかになるように制御する照明制御手段と、を有してなり、前記照明制御手段は、前記複数の壁面に備えられた出入口のいずれが開くかを示す信号に基づいて前記光源の点灯、消灯のパターンを前記複数のパターンのいずれにするかを選定するよう構成されている。
【００１１】
上記構成によれば、前記複数の光源の点灯されたものと消灯されたものの配置のパターンを、乗りかごが次に停止したときに開く出入口が、前記複数の壁面の出入り口のうちのいずれであるかを表示するパターンを含むものとすることで、専用の照明装置を用いることなく、ドアが開くこと、およびどのドアが開閉するかを乗客に表示することが可能となる。そして、前記複数の壁面の出入り口のうちのいずれであるかを表示するパターンを、時系列的に変化させるようにすれば、さらに、表示の認識度を高めることができる。
【００１２】
前記複数の壁面に備えられた出入口のいずれが開くかを示す信号は、停止階によってどのドアが開くのかが決まっている場合、停止階を示す信号としてもよい。また、前記各独立に点灯、消灯が可能な複数の光源は、ＬＥＤであることが望ましい。光源にＬＥＤを使用することにより、光源の寿命を延ばし保守性が向上するとともに、消費電力を抑える効果がある。
【００１３】
さらに、前記各独立に点灯、消灯が可能な複数の光源は、乗りかごの天井または側壁もしくはその双方にタイル状に配置された光散乱体を通して乗りかご内を照明するように構成されていることが望ましい。タイル状に配置された光散乱体を通して乗りかご内を照明することで、乗りかご内が均一に照明され、乗りかご内に影ができにくくなる効果がある。
【発明の効果】
【００１４】
以上説明したように、本発明によれば、専用の照明装置を用いることなく、ドアが開くこと、およびどのドアが開閉するかを乗客に表示することができる。
【発明を実施するための最良の形態】
【００１５】
以下、本発明の一実施形態について図１〜図５を用いて説明する。
【００１６】
図１は、本発明の一実施形態を示し、エレベータの乗りかご１の内部を見た斜視図である。図示の乗りかご１は、正面側出入り口ドア３ａと、この正面側出入り口ドア３ａに対向する位置に配置された背面側出入り口ドア３ｂ（図示せず）を備え、天井全面に面発光する照明２が設けられている。照明２は、各独立に点灯、消灯が可能な、碁盤目状（あるいはタイル状）に分割された複数の面発光体に分割されている。
【００１７】
ここでいう面発光体は、光を散乱して拡散する半透明体と、この半透明体の背後に配置されて光を発する光源の組み合わせで構成されており、各光源はそれぞれ対応する半透明体にのみ光を投射するように構成されている。各光源は図示されていない照明制御手段に接続され、この照明制御手段により、各独立に点灯、消灯が行われるようになっている。すなわち、エレベータの照明装置は、天井全面に設けられ各独立に点灯、消灯が可能な、碁盤目状（あるいはタイル状）に分割された複数の面発光体と、各面発光体の光源の点灯、消灯を制御する照明制御手段とを含んで構成されている。なお、光源として、本実施の形態ではＬＥＤを用い、光源の寿命を延ばして保守性を向上させるとともに、消費電力を抑えることが可能となった。
【００１８】
前記照明制御手段には、前記各独立に点灯、消灯が可能な複数の光源の、点灯されたものと消灯されたものの配置で形成される点灯部分（或いは消灯部分）の形状により、開くドアを乗りかご乗客に知らせる複数のパターン（例えば消灯した部分で形成された、正面側出入り口ドア３ａを指し示す矢印のパターン及び背面側出入り口ドア３ｂを指し示す矢印のパターン）が格納されているとともに、次に停止したときに開くドアが正面側出入り口ドア３ａなのか背面側出入り口ドア３ｂなのかを示す信号が入力されるようになっており、前記照明制御手段は、入力される前記信号に応じて、前記複数のパターンのいずれにするかを選定し、選定したパターンになるように各光源の点灯、消灯を制御するよう構成されている。
【００１９】
図２は照明２を下側から見た図で、天井全面を縦５個、横７個の碁盤目状の面発光体に分割してある。なお、この分割の大きさや縦、横の数は、予め開くドアを示す点灯、消灯のパターンを決め、そのパターンを実現するのに必要な碁盤目の縦、横の数に応じて設定すればよい。
【００２０】
図３は図１に示す実施形態における点灯パターンの例を示し、非着色部２ａは、前記面発光する照明２のあるタイル状分割部分が点灯状態であることを表したものであり、着色部２ｂは、前記面発光する照明２の他のあるタイル状分割部分が消灯状態であることを表したものである。
【００２１】
エレベータが通常走行状態のとき及び停止状態のときは、前記タイル状に分割配置した照明２は全て点灯状態である。次にエレベータがある階に到着するとき、照明制御手段には、正面側出入り口ドア３ａと背面側出入り口ドア３ｂのどちらが開くのかを示す信号が入力される。通常、停止階により、どのドアが開くのかが決められており、照明制御手段に入力される信号は停止階を示す信号であればよい。照明制御手段は入力された停止階を示す信号に基づいて開かれるドアがどのドアであるかを判断する。
【００２２】
乗りかごが停止階に到着する前と到着後の任意の時間、照明制御手段は、停止階を示す信号に基づいてどのドアが開くのか（例えば、正面側出入り口ドア３ａが開く）を判断し、前述の面発光する照明２を、図３に示すとおり、前記面発光する照明２が点灯している状態の非着色部２ａと、この面発光する照明２が消灯している状態を示す着色部２ｂの組み合わせにより、開く側のドア（この場合、正面側出入り口ドア３ａ）を指し示す矢印を作り、かご正面側の出入り口ドア３ａが開閉することをエレベータのかご乗客に知らせる。
【００２３】
前記到着する前と到着後の任意の時間としては、例えば乗りかごの速度がある設定速度以下になった時点或いは減速開始時点あるいは停止階までの階数が設定階数以下になった時点から、ドア開放完了までの時間とする。
【００２４】
図３に示す点灯、消灯のパターンがかご正面側出入り口ドア３ａの開閉を案内しているのに対し、図４は、かご背面側出入り口ドア３ｂの開閉を案内する点灯、消灯のパターン例を示している。
【００２５】
図３及び図４は、点灯パターンが矢印で、この矢印の部分を消灯の着色部２ｂで表していたが、これを矢印の部分を点灯の非着色部２ａとし、それ以外を消灯の２ｂとすることも可能である。
【００２６】
また、前記かご正面側出入り口ドア３ａが開閉する場合において、矢印の表示を時系列的に変化させて、前記かご背面側出入り口ドア３ｂ側から前記かご正面側出入り口ドア３ａ方向に流動させることとすれば、さらに乗りかご乗客の開閉されるドアがいずれであるかの認識度を向上させることが可能である。また、乗りかご乗客の開閉されるドアがいずれであるかの認識度の向上は、流動表示以外に点滅など他の時系列的に変化させる方法によっても可能である。
【００２７】
図５は本発明の他の実施形態を示す図である。前記図３及び図４では、点灯パターンを矢印としていたが、本実施形態は、前記かご正面側出入り口ドア３ａもしくは前記かご背面側出入り口ドア３ｂに近い側の一部分のみの前記面発光する照明２を点灯させ、その他の面発光する照明２を消灯させて、乗りかご乗客にかご正面側と背面側のかご出入り口ドアのどちらが開閉動作するか案内する構成とした例である。
【００２８】
また、前記図５の表示パターンは一部点灯し残りを消灯するものであるが、図５で点灯する部分を点滅させるなどの制御においても同様に乗客への開閉動作する出入り口ドアの方向を案内することが可能である。この場合、残りの部分を点灯のままとすることができ、乗りかご内の照明が低下するのが避けられる。
【００２９】
さらに、上記各実施形態では、点灯と消灯の組み合わせで形成されるパターンで表示する例について説明してきたが、前記面発光する照明２を調光制御することで、更なる点灯パターンの構成が可能となる。
【００３０】
以上述べたように、本実施の形態によれば、専用の照明装置を設けることなく、タイル状に配置した前記面発光体の点灯、消灯を制御することにより、正面側もしくは背面側のどちらの乗りかご出入り口ドアが開閉動作するかを示す発光パターンを表示し、乗りかご乗客に開閉動作する出入り口ドアを案内することが可能である。
【００３１】
上記各実施形態では、乗りかごの出入り口ドアが、正面側と背面側にある場合について説明したが、本発明は、乗りかごの出入り口ドアが、正面側と側面側、さらには、正面側と側面側と背面側にある場合についても、同様に適用可能である。
【００３２】
また、上記各実施形態では、停止階により開閉されるドアが正面側と背面側のいずれかに決まる場合について述べたが、同じ階に停止する場合でも、開閉されるドアが乗客の要求（かご呼び）或いは停止階側の要求（ホール呼び）により、変化する場合が考えられる。このような場合は、前記照明制御手段に、次に停止した階でどのドアが開くのかを指示した信号を入力するようにすればよい。
【００３３】
上記各実施形態は、点灯、消灯する照明としてＬＥＤを光源とする面発光体を設けた例であるが、乗りかご内が照明され、かつどの乗りかご出入り口ドアが開閉動作するかを示す発光パターンが形成される限り、ＬＥＤ以外のものを光源とする面発光体、あるいは面発光体以外の照明手段、例えば通常の電球を多数配列したものであってもよい。
【図面の簡単な説明】
【００３４】
【図１】本発明の一実施形態に係るエレベータの乗りかごを示す斜視図である。
【図２】図１に示す乗りかごの天井の照明を下側から見た平面図である。
【図３】本発明の一実施形態に係わる点灯、消灯のパターンの例を示す平面図である。
【図４】本発明の一実施形態に係わる点灯、消灯のパターンの他の例を示す平面図である。
【図５】本発明の一実施形態に係わる点灯、消灯のパターンの更に他の例を示す平面図である。
【符号の説明】
【００３５】
１  乗りかご
２  照明
２ａ  非着色部（面発光する照明が点灯している状態）
２ｂ  着色部（面発光する照明が消灯している状態）
３ａ  正面側出入り口ドア
３ｂ  背面側出入り口ドア
【図１】
2005350213.tif 000003
【図２】
2005350213.tif 000004
【図３】
2005350213.tif 000005
【図４】
2005350213.tif 000006
【図５】
2005350213.tif 000007